(57)【要約】【課題】  本発明は、景品を収容するケーシング内に高さレベルの異なる景品載置台を設けて、景品を各種類ごとに異なる高さのレベルに載置し、効果的なディスプレイを行えるように構成されたクレーンゲーム機を提供することをその課題とする。【解決手段】  本発明のクレーンゲーム機は、景品を収容するケーシングと、前記景品を捕捉するキャッチャーと、前記キャッチャーを操作する操作盤とを備えたクレーンゲーム機において、前記ケーシング内に景品を載置する複数の景品載置台が内設され、前記複数の景品載置台は、それぞれ別個に高さ調節可能である昇降手段を備えることを特徴とする。【選択図】          図１
2006068219.tif 000002
【特許請求の範囲】
【請求項１】
景品を収容するケーシングと、
前記景品を捕捉するキャッチャーと、
前記キャッチャーを操作する操作盤とを備え、
前記ケーシング内に景品を載置する複数の景品載置台が内設され、前記複数の景品載置台は、それぞれ別個に高さ調節可能である昇降手段を備えることを特徴とするクレーンゲーム機。
【請求項２】
請求項１において、前記昇降手段が、前記景品載置台を上下方向に摺動自在に移動できるように構成された摺動手段と、前記景品載置台の上部に取り付けられた取手と、前記景品載置台を所望の高さレベルに係止するラッチ手段を備えていることを特徴とするクレーンゲーム機。
【請求項３】
請求項１において、前記昇降手段が、前記景品載置台に内設された電動昇降手段と、昇降制御手段と、停止位置を検知するセンサを備えていることを特徴とするクレーンゲーム機。
【発明の詳細な説明】
【技術分野】
【０００１】
本発明は、ゲームセンター等に設置されている、ぬいぐるみや小物等の様々な景品をキャッチするクレーンゲーム機に関する。
【背景技術】
【０００２】
図１は、従来のクレーンゲーム機の一構成例を示す図である。
【０００３】
図１に示すクレーンゲーム機の載置台は、高さを高低レベルの二段階に調整できるように構成されており、図１では、載置台が高レベルの段階に設定されている状態を示している。
【０００４】
図１の載置台は、図示した状態から載置台の上部を手で押し下げることにより、載置台の脚部がバネにより拡がりながら降下し、その降下した状態から手を離すと載置台が多少上昇してストッパが稼動して載置台がストッパにより把持されて載置台の高さが低レベルの段階に設定される。そして、載置台の上部を手で再度押し下げることにより、載置台の脚部が再び拡がりストッパが解除され、載置台がバネにより再び押し上げられて高レベルの段階に戻されるように構成されている。
【発明の開示】
【発明が解決しようとする課題】
【０００５】
上述した従来のクレーンゲーム機では、景品がディスプレイされるレベルが高低いずれの場合においても常に一つのレベルであり、例えば、景品を各種類ごとに異なる高さのレベルに載置するといった効果的なディスプレイできないという問題点があった。
【０００６】
本発明は、上記従来のクレーンゲーム機の問題点に鑑みてなされたものであり、景品を収容するケーシング内に高さレベルの異なる景品載置台を設けて、景品を各種類ごとに異なる高さのレベルに載置し、効果的なディスプレイを行えるように構成されたクレーンゲーム機を提供することをその課題とする。
【課題を解決するための手段】
【０００７】
本発明の上記課題は、景品を収容するケーシングと、前記景品を捕捉するキャッチャーと、前記キャッチャーを操作する操作盤とを備え、前記ケーシング内に景品を載置する複数の景品載置台が内設され、前記複数の景品載置台は、それぞれ別個に高さ調節可能である昇降手段を備えることを特徴とするクレーンゲーム機によって達成される。
【発明の効果】
【０００８】
上記のように構成することにより、景品を収容するケーシング内に高さレベルの異なる景品載置台が設けられ、景品を各種類ごとに異なる高さのレベルに載置し、効果的なディスプレイを行えるという効果を奏する。
【発明を実施するための最良の形態】
【０００９】
本発明のクレーンゲーム機では、前記昇降手段が、前記景品載置台を上下方向に摺動自在に移動できるように構成された摺動手段と、前記景品載置台の上部に取り付けられた取手と、前記景品載置台を所望の高さレベルに係止するラッチ手段を備えていてもよい。
【００１０】
本発明のクレーンゲーム機では、前記昇降手段が、前記景品載置台に内設された電動昇降手段と、昇降制御手段と、停止位置を検知するセンサを備えていてもよい。
【実施例】
【００１１】
以下、添付した図面を参照して、本発明によるクレーンゲーム機用の景品載置台の実施形態を説明する。
図１は、本発明によるクレーンゲーム機用の景品載置台（昇降ステージと称する場合もある）の一実施形態における構成を示す概略図である。
図１に示すように、本実施形態における景品載置台は、クレーンゲーム機１のゲーム空間内の前方及び後方にそれぞれ景品載置台が設置されており、本実施形態では前方に小さいサイズの景品載置台が２台、後方に大きなサイズの景品載置台が２台それぞれ配置されている。
図１に示す景品載置台は、そのサイズに係わりなく同じ構造を有しているので、以下、一つの景品載置台についてより詳細に説明する。
【００１２】
図２は、図１に示した景品載置台１００の構造を詳細に示す図である。
図２に示すように、景品載置台１００は、台板１０１と、台板１０１に設けられた取手１０２と、台板１０１と一体的に形成された台板フレーム部１０３と、台板フレーム部１０３を支持するように構成された支持フレーム部１０４と、台板１０１を複数の高さレベルに設定することができるように台板フレーム部１０３を支持フレーム部１０４に対して上下方向に摺動自在に移動することができるように構成された摺動装置１０５とを備えている。
【００１３】
図２に示すように、摺動装置１０５は、台板フレーム部１０３に取り付けられた摺動ロッド１０６、１０７と、支持フレーム部１０４に取り付けられ、摺動ロッド１０６、１０７に嵌合して、摺動ロッド１０６、１０７を摺動自在に移動させることにより、台板フレーム部１０３を支持フレーム部１０４に対して摺動自在に移動できるように構成された貫通パイプ１０８、１０９と、台板フレーム部１０３に取り付けられ、その先端に爪部１１０、１１１をそれぞれ備えているラッチ棒１１２、１１３と、支持フレーム部１０４に取り付けられ、台板１０１を複数の高さレベルに設定することができるようにラッチ棒１１２、１１３の爪部１１０、１１１を所定のレベルにそれぞれ係止するように構成されたストッパ１１４、１１５とを備えている。
【００１４】
また、ラッチ棒１１２、１１３の爪部１１０、１１１は、台板１０１（即ち台板フレーム部１０３）を上方向に移動する（即ち、持ち上げる）場合及び下方向に移動する（即ち、押し下げる）場合には、ストッパ１１４、１１５に引っかからないように構成されている。このメカニズムの一例を後述する動作の説明において述べる。
【００１５】
次に、図３及び図４を参照して、ラッチ式景品載置台１００の動作を説明する。
まず、台板１０１を上昇させる場合には、ユーザが台板１０１に設けられた取手１０２を把持して台板１０１（即ち、台板フレーム１０３）を上方に持ち上げると（ステップＳ１）、貫通パイプ１０８、１０９の中を摺動ロッド１０６、１０７がそれぞれ摺動する（ステップＳ２）と同時に、ラッチ棒１１２、１１３が支持フレーム部１０４の部位に沿って摺動する（ステップＳ３）。ユーザが所望の高さレベルより少し上のところまで台板１０１を持ち上げてから取手１０２から手を離すと（ステップＳ４）、台板１０１が自重により少し降下してラッチ棒１１２、１１３の爪部１１０、１１１が所望の高さレベルのストッパ１１４、１１５によって停止されて（ステップＳ５）、台板１０１が所望の高さレベルに設置される（ステップＳ６）。爪部１１０、１１１は、上昇するときにその途中に設けられたストッパ１１４、１１５に捕らえられることなく摺動するように構成されている。そのメカニズムとしては、例えば、爪部１１０、１１１に戻りバネを設けて、ユーザが取手１０２を把持することによってこのバネにより爪部１１０、１１１を下方に傾倒させるか垂直方向に沿って格納するように構成することによって、ストッパ１１４、１１５を通過する際に爪部１１０、１１１がストッパ１１４、１１５によって捕われることなく上昇することができる。
【００１６】
次に、台板１０１を降下させる場合には、ユーザが台板１０１に設けられた取手１０２を把持することにより、上述したように爪部１１０、１１１が下方に傾倒されるか垂直方向に沿って格納されて（ステップＳ７）、台板１０１を下方に押し下げることにより、貫通パイプ１０８、１０９の中を摺動ロッド１０６、１０７がそれぞれ下方に向かって摺動する（ステップＳ８）と同時に、ラッチ棒１１２、１１３が支持フレーム部１０４の部位に沿って下方に向かって摺動する（ステップＳ９）。ユーザが所望の高さレベルより少し上のところまで台板１０１を押し下げてから取手１０２から手を離すと（ステップＳ１０）、台板１０１が自重により少し降下してラッチ棒１１２、１１３の爪部１１０、１１１が所望の高さレベルのストッパ１１４、１１５によって停止されて（ステップＳ１１）、台板１０１が所望の高さレベルに設置される（ステップＳ１２）。
【００１７】
最も低い高さレベルまで押し下げた場合には、台板１０１は、最も低い高さレベルに設置されたストッパ１１４、１１５によって停止される（ステップＳ１３）。
【００１８】
なお、上述した実施形態では、摺動装置１０５を手動式として説明したが、本発明は、これに限定されるものではなく、別の実施形態として、景品載置台１００の昇降を例えばモータに電動ウインチ等を連動させてコンピュータ制御で行い、位置センサを用いて停止位置を検知して、台板１０１の昇降を自動制御するように構成してもよい。
【図面の簡単な説明】
【００１９】
【図１】図１は、本発明によるクレーンゲーム機用の景品載置台の一実施形態における構成を示す概略図である。
【図２】図２は、図１に示した景品載置台の構造を詳細に示す図である。
【図３】図３は、図１のラッチ式景品載置台の動作を説明するための動作フロー図である。
【図４】図３に続く動作フロー図である。
【符号の説明】
【００２０】
１００  景品載置台
１０１  台板
１０２  取手
１０３  台板フレーム部
１０４  支持フレーム部
１０５  摺動装置
１０６、１０７  摺動ロッド
１０８、１０９  貫通パイプ
１１０、１１１  爪部
１１２、１１３  ラッチ棒
１１４、１１５  ストッパ
【図１】
2006068219.tif 000003
【図２】
2006068219.tif 000004
【図３】
2006068219.tif 000005
【図４】
2006068219.tif 000006
【手続補正書】
【提出日】平成16年9月22日(2004.9.22)
【手続補正１】
【補正対象書類名】図面
【補正対象項目名】全図
【補正方法】変更
【補正の内容】
【図１】
2006068219.tif 000007
【図２】
2006068219.tif 000008
【図３】
2006068219.tif 000009
【図４】
2006068219.tif 000010